(57)【要約】【課題】高い動作温度による悪影響を抑えながら、ＬＥＤの集中化を可能にする自動車用ＬＥＤランプ組立品を提供する。【解決手段】取り替え可能な自動車用ランプ組立品はＬＥＤを外部の熱放出部材に熱的に接続した熱伝導支持部材上に直接配置することによって作製される。１つの実施例において、ランプの構造は実質的に、スナップ式に固定される（または、パチンと留められる）。ＬＥＤは熱伝導支柱及びフランジから成る構造物に取り付けられる。フランジを適所に固定するために、カプラーが支柱を取り囲み、フランジを介してベース部に取り付けられる。カプラーはまた、反射器組立品のソケット用の穴に取り付けるためのラッチ構造部を含む。熱伝導性のフランジは外気に接し、ＬＥＤの冷却を促進する。【選択図】　　　　図１
2004006297.tif 000002
【特許請求の範囲】
【請求項１】
取り替え可能な自動車用ランプ組立品であって：
外気に接する放熱部材に接続された熱伝導構造体上に取り付けられたＬＥＤ光源；
筐体または反射器に脱着可能に取り付けるための機械的カプラーであって、概略的に光源に面し、前記熱伝導構造体を保持するカプラー；
前記カプラーにより保持される電気コネクタ；及び、
取り替え可能なランプを形成するために、前記電気コネクタからＬＥＤ光源まで拡張する電気接続部材、
から成るランプ組立品。
【請求項２】
前記電気コネクタが前記電気接続部材を取り囲むために、前記熱伝導構造体に封止されている、請求項１に記載のランプ組立品。
【請求項３】
前記筐体または反射器がカプラーと結合したときに、前記ランプ組立品と前記筐体または反射器との間を封止するために、前記熱伝導構造体に隣接し、前記熱伝導構造体を囲む封止部材をさらに含む、請求項１に記載のランプ組立品。
【請求項４】
前記熱伝導構造体が前記ＬＥＤ光源用の取付け具と前記放熱部材との間に拡張する筒状の金属部分を含む、請求項１に記載のランプ組立品。
【請求項５】
前記放熱部材が外気に接する金属面を含む、請求項１に記載のランプ組立品。
【請求項６】
前記熱伝導構造体が前記ＬＥＤ光源用の取付け具と前記放熱部材との間に拡張する筒状の金属部分を含み、前記放熱部材が前記ランプ組立品の外側で外気に接する金属面を含む、請求項１に記載のランプ組立品。
【請求項７】
前記放熱部材が金属性のフランジを含み、前記フランジの両面の、少なくとも一部が前記ランプ組立品の外側で外気に接する、請求項６に記載のランプ組立品。
【請求項８】
前記カプラーが前記放熱部材を保持し、前記カプラーがベース部との結合により電気コネクタを備え、前記ランプ組立品が前記カプラー及び前記放熱部材を通って、前記電気コネクタから前記ＬＥＤ光源まで拡張する電気接続部材を備える、請求項１に記載のランプ組立品。
【請求項９】
前記カプラーが前記電気コネクタと結合するための取付け用構造を含む、請求項８に記載のランプ組立品。
【請求項１０】
前記取付け用構造が前記筐体または反射器の隣接するソケット面に対して押し付けるためのカム構造面を有する、少なくとも１つの放射方向に拡張するアームを備える、請求項９に記載のランプ組立品。
【請求項１１】
取り替え可能な自動車用ランプ組立品であって：
ａ）電気接続のための第１レセプタクルを画定する第１内壁、ラッチ構造を含む第２レセプタクルを画定する第２内壁、及び、第１レセプタクルから第２レセプタクルまで拡張する少なくとも１つの電気接続部材を備えるベース部；
ｂ）中央の通路を画定する内壁を有する筒状部分、前記ベース部の前記ラッチ構造にラッチするための、前記筒状部分から拡張する第１アーム、及び、結合用面を有し、前記筒状部分に対して放射方向に拡張する少なくとも１つの第２アーム；
ｃ）軸方向に適当な寸法を有する熱伝導筒状部分、外壁、内部の通路を画定する内壁、及び、前記筒状部分から外部に向かって拡張する熱放出部分を備えるアダプターであって、前記熱放出部分が前記カプラーの第１アームの少なくとも一部の挿入または通過を可能にするための寸法及び形状で形成された結合用開口を画定する壁を有し、前記カプラーが前記アダプターの周囲に配置され、前記カプラーの第１アームが前記結合用開口を通って拡張し、前記ベース部の第２レセプタクルで前記ベース部と結合し、それにより前記熱放出部分が前記カプラーと前記ベース部との間に固定されるアダプター；及び、
ｄ）前記アダプターにより保持される電気ランプであって、前記カプラーを介して前記電気接続部材と接続するために、前記アダプターから拡張する少なくとも１つの電気接続部材を備えた電気ランプ、
から成るランプ組立品。
【請求項１２】
前記ベース部が第２レセプタクルの内部に形成された直立状の突起部を含み、前記カプラーが前記直立状の突起部にラッチする、請求項１１に記載のランプ組立品。
【請求項１３】
前記ベース部が第２レセプタクルの内部にラッチ構造部を備え、前記カプラーの第１アームが第２レセプタクル内で前記ベース部に結合する、請求項１２に記載のランプ組立品。
【請求項１４】
前記ベース部と前記熱放出部分との間に圧縮性封止部材が配置されている、請求項１２に記載のランプ組立品。
【請求項１５】
前記熱放出部分が熱放出構造を備える、請求項１２に記載のランプ組立品。
【請求項１６】
前記カプラーがカム構造面を保持する差込結合部（ｂａｙｏｎｅｔ　ｃｏｕｐｌｉｎｇ）を備える、請求項１２に記載のランプ組立品。
【請求項１７】
前記アダプター及び前記熱放出部分が高い熱伝導率を有する金属材料から形成されている、請求項１２に記載のランプ組立品。
【請求項１８】
前記アダプター及び前記ランプが、互いに熱伝導可能な、隣接し、一致した面に沿って、互いに結合し、前記カプラー及び前記ランプの前記隣接した面が、前記ランプから前記フランジに達する熱伝導経路を与えるために、高い熱伝導性を有する材料から形成されている、請求項１２に記載のランプ組立品。
【請求項１９】
前記アダプター及び前記ランプが前記アダプターと前記ランプとの間の軸方向の結合を可能にするための、対応する内部の面及び外部の面を備える、請求項１２に記載のランプ組立品。
【請求項２０】
前記軸方向の結合が入れ子型結合である、請求項１９に記載のランプ組立品。
【請求項２１】
取り替え可能な自動車用ランプ組立品であって：
ａ）電気接続のための第１レセプタクルを画定する第１内壁、ラッチ構造部を含む第２レセプタクルを画定する第２内壁、及び、第１レセプタクルから第２レセプタクルまで拡張する少なくとも１つの電気接続部材を備えるベース部；
ｂ）中央の通路を画定する内壁、前記ベース部の前記ラッチ構造部と結合するために形成された第１ラッチ構造部、及び筐体または反射器と脱着可能に結合するために形成された第２ラッチ構造部を備えるカプラー；
ｃ）軸方向に適当な長さを持った筒状部分、外壁、内部の通路を画定する内壁、及び前記筒状部分から放射方向に拡張するフランジ部分を備えたアダプターであって、前記筒状部分及び前記フランジ部分が高い熱伝導率を有する材料から形成されており、前記筒状部分及び前記フランジ部分が互いに十分な熱伝導が可能な状態で接触しており、前記フランジ部分が結合用開口を画定する壁を有し、前記結合用開口が前記ベース部の前記ラッチ構造部と前記カプラーの第１ラッチ構造部との間の機械的接続を可能にするような寸法及び形状で形成されており、前記カプラーが前記アダプターの周囲に配置されており、前記ベース部の前記ラッチ構造部が前記カプラーの第１ラッチ構造部に結合され、それにより前記フランジ部分が前記カプラーと前記ベース部との間に固定されるアダプター；
ｄ）前記ベース部と前記フランジ部分との間に配置された圧縮性封止部材；及び、
ｅ）前記アダプターにより保持され、第２レセプタクルの前記電気接続部材に接続するために、前記アダプターの前記内部通路及び前記カプラーの内部通路を通って拡張する少なくとも１つの電気接続部材を備える電気ランプであって、前記アダプター及び前記ランプが互いに結合しており、前記アダプター及び前記ランプが、前記アダプターと前記ランプとの間の結合及び、それらの間の十分な熱伝導を与えることを可能にする、対応する、隣接かつ一致した面を備え、前記カプラー及び前記ランプの前記隣接した面が高い熱伝導率を有する材料から形成されており、それにより前記ランプから前記フランジへの熱伝導経路を与える電気ランプであって：
ｆ）前記ランプがランプ本体部及び１つまたは複数のＬＥＤを備え、前記１つまたは複数のＬＥＤが、動作中に前記１つまたは複数のＬＥＤからの熱を前記ランプ本体部に伝導させるように前記ランプ本体部に取り付けられている前記電気ランプ、
から成るランプ組立品。
【発明の詳細な説明】
【０００１】
【発明の属する技術分野】
本発明は電気ランプ、特に、自動車用のランプに関する。詳細に述べると、本発明はスナップ結合式（または、パチンと留められる）自動車用ＬＥＤランプ組立品に関する。
【０００２】
【従来の技術】
発光ダイオード（ＬＥＤ）は効率及び寿命に関して優れた特性を持っている。また、ＬＥＤは比較的小さい筐体内に収納することが可能である。これらの特徴はＬＥＤを自動車及び他の用途に対して非常に魅力的なものにしている（例えば、特許文献１及び特許文献２参照。）。ＬＥＤの寿命及び効率はそれの動作温度に関係する。したがって、ＬＥＤは局所的な熱の集中を減少させるために、比較的散在して配置されたグループ内で、単独で取り付けられることが多い。あるいは代替案として、熱の発生を抑えるために、最大出力より小さい出力で動作させられる場合もある。
【０００３】
【特許文献１】
特開２００２−３３４６０４号公報
【特許文献２】
特開平０６−０２４３７１号公報
【０００４】
【発明が解決しようとする課題】
高出力のＬＥＤが使用される場合、この熱の減少はより重要な問題となる。高出力ＬＥＤはより強い光を発生することができるが、より多くの熱を発生してしまう。自動車の車外に配置されるライト等において光のビーム（または、光線）を発生する場合、光源を単一の点またはその点の付近に集中させることが望まれる。集中化された光源は照射されるべき場所に予め規定された様式で（または、特定の様式で）光を向けるために、予め規定された（または、特定の）反射器またはレンズ組立品に出力される。ＬＥＤランプの構造において、ＬＥＤの単一の点またはその付近への集中化は、ＬＥＤの効率や寿命に悪影響を与える熱の集中化を発生してしまう。したがって、高い動作温度による悪影響をある程度抑えながら、集中化したＬＥＤ光源を可能にするＬＥＤランプの構造の開発が望まれている。
【０００５】
【課題を解決するための手段】
本発明の取り替え可能なランプ組立品は外気に接する放熱部材に熱的に接続した熱伝導構造体上に取り付けられたＬＥＤ光源と共に作製される。筐体または反射器への脱着可能な取り付けのための機械的カプラー（または、機械的結合器）は概略的に光源に面し、熱伝導構造体を支持する。カプラー（または、結合器）は電気コネクタ（または、電気連結器）を保持し、そして、取り替え可能なランプを形成するために（または、取り替え可能なランプのための電気回路を形成するために）、電気接続部材が電気コネクタからＬＥＤ光源まで拡張する。
【０００６】
【発明の実施の形態】
図１は標準的な自動車用の電気カプラーの末端スリーブ（または、接続用筒）２２及び反射器８４と共にＬＥＤランプ組立品１０の斜視図を示している。図２は反射器及びスリーブが無い状態での、ＬＥＤランプ組立品１０の斜視図を示している。すなわち、図２は取り替え可能なランプ装置（ｌａｍｐ　ｕｎｉｔ）を示している。図３は反射器８４の一部と共にＬＥＤランプ組立品１０の断面図を示している。取り替え可能な自動車用ランプ組立品１０はベース部１２、カプラー（または、結合器）２６、アダプター（または、変換器）４０及びランプ（または、ランプヘッド）６２と共に形成することができる。
【０００７】
ベース部１２は好まれるものとして、プラスチック樹脂（ｐｌａｓｔｉｃ　ｒｅｓｉｎ）から成形され、電気接続のための第１レセプタクル（または、ソケット）１６として利用される中空部（または、凹部）を画定する第１内壁１４を有する。第２内壁１８は第２レセプタクル（または、ソケット）２０として利用される中空部（または、凹部）を画定する。第２レセプタクル２０の内面はラッチ構造部（または、掛け金構造部）を含む。ラッチ構造部は、デザインに応じて、突起状のものであってもよいし、凹状のものであってもよい。ラッチ構造部は好まれるものとして、第２内壁１８から垂直に拡張する直立状の支柱または突起９０（図９参照）である。
【０００８】
ベース部１２はまた、第１レセプタクル１６から第２レセプタクル２０まで拡張する、少なくとも１つの電気接続部材２４を含む。電気接続部材の構造は好まれるものとして、プラスチックのベース部内に鋳造（または、成形）された２つの突起部（ｌｕｇ）を備える。突起部は第１レセプタクル１６内でプラグ用コネクタとして使用され、第２レセプタクル２０内で接合部（または、溶接点）として使用されてもよい。
【０００９】
図４はカプラー（または、結合器）２６の斜視図を示している。カプラー２６は概略的に、中央の通路３２を画定する内壁３０を有する筒状部分２８を備える。筒状部分２８からは、ベース部１２のラッチ構造部と連携してラッチする（または、掛け金式に結合する）ための寸法及び形状を持った第１アーム３４等の、第１ラッチ構造部が拡張している。ベース部１２及びカプラー２６は互いに隣接する面に沿って、互いにフィットする（または、ぴったりと結合する）ように形成される。ベース部１２及びカプラー２６は、ベース部のラッチ構造部と（第１アーム等の）カプラーの第１ラッチ構造部とが噛み合うことにより、スナップ式に結合する（または、掛け金式に結合する）。ベース部１２及びカプラー２６はまた、互いに適当な方向に向くように固定される。
【００１０】
カプラー２６は好まれるものとして、筐体または反射器の開口と脱着可能に結合するために、付加的な、第２ラッチ構造部を含んでもよい。これにより、ランプ組立品は筐体または反射器に取り替え可能な状態で結合することができる。第２ラッチ構造部は好まれるものとして、概略的に軸方向に面するカム構造面３８を支持する１つまたは複数の第２アーム３６として構成される。これにより、カプラー２６は反射器の開口と結合するための、カム構造面を持った複数の差込アーム（ｂａｙｏｎｅｔ　ａｒｍ）を有する差込結合部（ｂａｙｏｎｅｔ　ｃｏｕｐｌｉｎｇ）を備えることができる。第２アーム３６は筒状部分２８に対して放射方向に拡張する。この構造により、カプラー２６は筐体または反射器に対して、回転によるラッチ（または、回転による結合）をすることができる。図５はアダプターが無い状態の、カプラーに結合したベース部の斜視図を示している。すなわち、図５はフランジ５２及び反射器８４が無い状態で、ベース部１２とカプラー２６との結合関係を図示している。
【００１１】
図６はアダプター（または、変換器）４０及びランプ（または、ランプヘッド）６２の、上方からの斜視図を示している。アダプター４０は好まれるものとして、ベース部に対して軸方向の寸法４４を有する筒状部分４２を備える。軸方向の寸法４４は光学的な設計に対して適当な寸法でよいだろう。アダプター４０はまた、外面４６及び、内部通路５０を画定する内面４８を有する。筒状部分４２は優れた熱伝導性を持つように設計され、ランプ組立品の外部の空気に接する表面を備えた熱伝導部材に熱的に（または、熱伝導が可能な状態で）接続される。
【００１２】
熱伝導部材は実質的な熱（例えば、ＬＥＤによって発生する熱の１０％以上）が伝導することを可能にし、ＬＥＤの動作中の温度を下げる。好まれるものとして、外部の空気に接する面は、両面が空気に接する金属シート部分（または、金属板部分）である。１つの実施例においては、筒状部分４２からはフランジ（または、つば）５２が放射方向に拡張する。好まれる実施例において、フランジ５２は筒状部分４２から放射方向に拡張する円盤状の形状を持つ。熱の放射を促進するために、フランジ５２は好まれるものとして、拡張した指部、穴、縦溝（ｆｌｕｔｅ）、リブ（ｒｉｂ）、または、この分野で周知の他の放熱構造等の、放熱または空気流構造を含む。
【００１３】
図６には、例として、拡張指部５４が示されている。また、好まれるものとして、フランジ５２の拡張は、フランジの縁部が、空気流が存在するところに配置されるようになされる。アダプター４０は好まれるものとして、熱伝導率の高い材料から形成されるフランジ５２を含む。アダプター４０及びフランジ５２の構造を作製するために、銅、ダイカスト（ｄｉｅ　ｃａｓｔ）アルミニウム、または同様な金属を使用してもよい。また、アダプター４０及びフランジ５２の構造は単体の構造として形成されてもよいし、複数の部品から形成されてもよい。
【００１４】
フランジ５２はまた、結合用開口（または、結合用通路）５８を画定する壁５６と共に形成される。結合用開口５８はカプラー２６の第１アームの少なくとも一部の挿入及び通過を可能にするような寸法及び形状で形成される。カプラー２６の中央の通路３２はアダプター４０の筒状部分４２にフィットする（または、ぴったりと結合する）ような寸法及び形状で形成される。これにより、カプラー２６の筒状部分３０はアダプター４０の周囲に配置され、カプラー２６の第１アーム３４は結合用開口５８を通って下方に拡張する。
【００１５】
カプラー２６及びアダプターが互いに結合することにより、第１ラッチ用アーム３４がベース部１２とのラッチ（または、結合）のために、第２レセプタクル２０の中に挿入される。これにより、フランジ５２を含む、アダプター４０はベース部１２とカプラー２６との間に固定される。図７はカプラー２６、アダプター４０及びランプ（または、ランプヘッド）６２の下方からの斜視図を図示している。カプラー２６はアダプター４０を取り囲み、２つの第１アーム３４が２つの結合用開口を通って拡張する。この状態でカプラー２６はベース部１２との結合が可能な状態となる。また、カプラー２６及びフランジ５２は、それらが互いに回転によってラッチし（または、結合し）、第１結合用アーム３４が結合用開口５８から拡張するように形成されてもよい。この結合は差込式（ｂａｙｏｎｅｔ）のラッチと共に行うことができる。
【００１６】
ベース部１２とアダプター４０との間に、フランジ５２等に沿って円形の圧縮性のシール（または、封止部材）６０が配置されてもよい。ＬＥＤ光源への電気接続部材のための内部通路を囲むようにベース部１２またはフランジ５２に形成された溝にＯリングまたはフラットリング（または、扁平リング）が配置されてもよい。あるいは、この分野で周知の他の方法によって封止がなされてもよい。
【００１７】
ＬＥＤランプ（または、ＬＥＤランプヘッド）６２はアダプター４０の遠位の端に保持される。ランプ６２はランプ本体部６４及び１つまたは複数のＬＥＤ６８を保持しているＬＥＤ保持具６６から構成されてもよい。ＬＥＤからは第２レセプタクル２０内の電気コネクタ２４との電気的接続のために、少なくとも１つ、好まれるものとしては２つの電気接続７０、７２がアダプター４０の内部通路５０及びカプラー２６の内部通路３２を通って拡張する。アダプター４０及びランプ本体部６４は互いに結合している。アダプター４０及びランプ本体部６４は好まれるものとして、ランプ６２の固定及び正確な配置、並びに、ランプ６２からアダプター４０への良好な熱伝導のために互いに突き合わされる（または、互いに結合する）、隣接した、（形状の）一致した表面を備える。
【００１８】
表面は、例えば、アダプター４０とランプ６２との間の軸方向の結合を可能にする、密接してフィットする（または、ぴったりと結合する）内面７４及び外面７６として形成されてもよい。図には、テレスコープ型結合（または、入れ子型結合）が示されているが、他の結合方法が使用されてもよい。アダプター４０及びランプ６２は位置付け及び熱伝導を強化するために、隣接した面に沿ってハンダ付け、のり付け、または、他の同様な方法によって結合されてもよい。この構造は、これら２つの部材間に優れた熱伝導路を与える。アダプター４０及び隣接したランプ６２はそれぞれ、好まれるものとして、銅、アルミニウム、亜鉛または他の金属等の、熱伝導率の高い材料から形成される。これらの結合により、ランプ６２からアダプター４０及びフランジ５２の間に良好な熱伝導路が形成され、ＬＥＤによって発生した熱はアダプターまたはフランジからランプ組立品の外部の大気に放出される。
【００１９】
図８はＬＥＤ６８を備えるランプ（または、ランプヘッド）６２を示している。ランプ６２は好まれるものとして、多数のＬＥＤ及び適当な電気回路を支持する。ＬＥＤチップから熱伝導構造体への熱伝導を高めるために、ＬＥＤチップは好まれるものとして、熱伝導構造体に直接取り付けられる。これはＬＥＤチップに隣接して、または、ＬＥＤチップの裏側に配置される回路パターンを形成する交互になった、絶縁層（ｉｎｓｕｌａｔｉｎｇ　ｌａｙｅｒ）を使用することによって、多様な方法で達成することができる。
【００２０】
互いの領域の間にブリッジワイヤ（Ｂｒｉｄｇｅ　ｗｉｒｅ）を配置することにより、熱伝導構造体のボード上に、ＬＥＤチップの（好まれるものとしての）直列配線または並列配線の回路を形成することができる。好まれる実施例において、ＬＥＤの大部分は実際に光が照射されるべき場所とは異なる方向に向けられる（または、実際に光が照射されるべき場所に間接的に向けられる）。この好まれる方向付けは、人が直接、光源に目を向けることができないようにするためのものである。ＬＥＤ６８は概略的に、反射器の方向に面するように、ランプ構造体のヘッド部に沿って折り曲げられたマッシュルーム形状の、可撓性の（または、フレキシブルな）材料上に取り付けられてもよい。ＬＥＤはランプヘッドに取り付けられた後、この分野で周知の透明な保護コーティングによってコーティングされてもよい。
【００２１】
ランプ組立品は反射器と共に機能するように構成されてもよい。ランプ組立品はカプラーの差込アーム（ｂａｙｏｎｅｔ　ａｒｍ）のカム構造面を利用して反射器８４にラッチ（または、結合）されてもよい。例えば、反射器８４は、少なくとも部分的に、カプラー２６のカム構造面を使用してカプラー２６により組立品１０に保持されてもよい。反射器８４に対するランプ組立品１０の配置及び位置付けを補助するために、カプラー２６またはアダプター４０の外部の壁が利用されてもよい。反射器８４またはランプ筐体と、フランジの片面等の、ランプ組立品の適当な部分との間にＯリングまたはフラットシール（または、扁平封止部材）８６が配置されてもよい。これにより、封止部材８６は埃や水分が反射器やランプ筐体に悪影響を与えることを防ぐために、熱伝導構造体を含むランプ組立品を取り囲むことができる。
【００２２】
図９はＬＥＤランプ組立品の部分的な断面図を示している。詳細に述べると、図９は電気接続部材２４に対して垂直方向の断面を示している。ベース部１２は第２レセプタクルを画定する内壁上に突起部９０を備える。カプラー２６は一方の端で、第２レセプタクル２０の中にフィットしている（または、ぴったりと結合している）。アーム３４は突起部９０とラッチ（または、結合）するように形成され、例えば、突起部９０とスナップフィット（または、パチンと嵌る）ような寸法及び形状の穴を備えた可撓性の（または、フレキシブルな）アームとして形成される。ベース部１２の壁から９０度の方向に拡張している噛合い面９２及び、カプラーのアーム３４に形成された穴の壁により、スナップフィットは半永久的に保持され、反射器８４またはランプ筐体への結合や取り外しによる影響を受けない。好まれる実施例において、ベース部１２とカプラー２６とが互いに面する内周部分に、２つまたは３つ以上のラッチ構造が配置されてもよい。
【００２３】
製造上の改善として、組立品は異なったランプ筐体の構造に対する迅速な適合のために、交換可能な部品と共に設計されてもよい。すなわち、ベース部１２は好まれるものとして、自動車や他の類似の装置で一般的に使用される標準的な電源のカプラーと結合するように形成される。同様に、ベース部１２とのラッチ（または、結合）のために標準的なカプラー２６が使用されてもよい。また、多様なＬＥＤ支持構造を支持するために、標準的なランプ本体部６４が使用されてもよい。一方、アダプター４０は特定の途用のために、異なった軸の長さや、異なったフランジの構造と共に形成されてもよい。これにより、ＬＥＤ光源は所望の光学的な深さの位置に配置されることができ、また、異なった熱負荷に対処することができる。この構成により、ランプ組立品に対して標準的なベース部及び標準的なＬＥＤ配置用部材を使用しながら、製品モデルごとに異なった軸方向のＬＥＤの深さを持ったランプを提供することができる。
【００２４】
例えば、他の部品を同一に保ちながら、ＬＥＤ支持物のアダプター４０の首部分の長さだけを製品モデルごとに変化させることができる。また、異なったランプを異なった設計のランプ筐体内で使用することができる。例えば、ヘッドランプ、フォグランプ、昼光電球（ｄａｙ　ｌｉｇｈｔ　ｒｕｎｎｉｎｇ）、テールランプ、方向指示灯等の、多様な外部照明の全てに対して、同一または同様な電気的取付け具（ａｔｔａｃｈｍｅｎｔ）及び同一または同様なＬＥＤ支持体及び冷却構造を使用しながら、光源を多様なランプ装置の所望の焦点位置に合わせるように、ランプ装置ごとに反射器用筐体内の異なった深さの位置に光源を配置することができる。この交換可能な配置用部品は多様な製品に対する、全体的な製造コストを下げることができるだろう。
【００２５】
ここまで、本発明の、目下のところ最も好まれる実施例が図示され、説明されてきたが、付随する請求の範囲によって規定される本発明の範囲から外れることなく、多様な変更や改良ができることは当業者にとって明白であるだろう。
【００２６】
【発明の効果】
上述の構造により、本発明はＬＥＤによって発生する熱の外部への放出を促進し、ＬＥＤ及びその周囲の温度を下げることを可能にした。これにより、本発明はＬＥＤの効率や寿命を高めることができると共に、高出力のＬＥＤを比較的狭い範囲に集中して配置することを可能にした。また、本発明のランプ組立品はスナップ式の構造により、多様なランプに対して、同一の部品の使用を可能にし、多様な製品に対する、全体的な製造コストを下げることを可能にした。
【図面の簡単な説明】
【図１】ＬＥＤランプ組立品並びに反射器及び電源供給結合部の一部の斜視図を示している。
【図２】取り替え可能なＬＥＤランプ組立品の斜視図を示している。
【図３】ＬＥＤランプ組立品及び反射器の一部の断面図を示している。
【図４】カプラーの斜視図を示している。
【図５】カプラーに結合したベース部の斜視図を示している。
【図６】アダプター及びＬＥＤランプの上方からの斜視図を示している。
【図７】カプラー、アダプター及びＬＥＤランプ組立品の下方からの斜視図を示している。
【図８】ＬＥＤ光源を支持しているランプを示している。
【図９】ＬＥＤランプ組立品の部分的な断面図を示している。
【符号の説明】
１０　　自動車用ランプ組立品
１２　　ベース部
１４　　第１内壁
１６　　第１レセプタクル
１８　　第２内壁
２０　　第２レセプタクル
２２　　末端スリーブ（接続用筒）
２４　　電気接続部材
２６　　カプラー（結合器）
２８　　筒状部分
３０　　内壁
３２　　中央の通路
３４　　第１アーム
３６　　第２アーム
３８　　カム構造面
４０　　アダプター（変換器）
４２　　筒状部分
４４　　軸方向の寸法
４６　　外面
４８　　内面
５０　　内部通路
５２　　フランジ（つば）
５４　　拡張指部
５６　　壁
５８　　結合用開口
６０　　圧縮性封止部材
６２　　ランプ
６４　　ランプ本体部
６６　　ＬＥＤ保持具
６８　　ＬＥＤ
７０，７２　電気接続部材
７４　　アダプターの内面
７６　　ランプの外面
８４　　反射器
８６　　封止部材
９０　　突起部
９２　　噛合い面
【図１】
2004006297.tif 000003
【図２】
2004006297.tif 000004
【図３】
2004006297.tif 000005
【図４】
2004006297.tif 000006
【図５】
2004006297.tif 000007
【図６】
2004006297.tif 000008
【図７】
2004006297.tif 000009
【図８】
2004006297.tif 000010
【図９】
2004006297.tif 000011